(57)【要約】【課題】アンテナを建造物の水平面、および垂直面のどちらに対しても強固に設置でき、低価格で且つ美観上においても優れたアンテナ取付金具を提供する。【解決手段】支持ベース１１の中央部に垂直に設けた一対のマスト取付金具１２ａ、１２ｂに互いに向い合うマスト固定螺子挿入穴１５ａ、１５ｂ、１５ｃ、１５ｄを設ける。マスト固定螺子挿入穴１５ａ、１５ｂ、１５ｃ、１５ｄは支持ベース１１の背面（底面）１９に対して４５度の傾斜角を設け、４５度の折曲げ角度をもつマスト１３と組立てることにより、水平面およびベランダ格子等を含む垂直面に対してもマスト１３を垂直の状態で固定できることを特徴とする。【選択図】図１
2015053666.tif 000002
【特許請求の範囲】
【請求項１】
板状部材により形成された支持ベースと、前記支持ベースの中央部に垂直に設けた一対のマスト取付金具と、前記マスト取付金具の互いに向い合う支持ベースの背面（底面）に対して４５度の傾斜角を設けるマスト固定螺子挿入穴が、４５度の折曲げ角度をもつマストと組立てることによりマストを垂直の状態で固定できることを特徴とする取付金具。
【請求項２】
請求項１において、４５度の傾斜角をもつマスト固定螺子挿入穴と４５度の折り曲げ角度をもつマストを組立て固定時に、マストをマスト軸上に回転させた後に固定する事により、取り付ける構造物の水平面、垂直面のどちらにもマストを垂直の状態で固定できることを特徴とする取付金具。
【請求項３】
請求項１において、固定板を用いて構造物のベランダ格子等の垂直面に対してもマストを垂直の状態で固定できることを特徴とする取付金具。
【発明の詳細な説明】
【技術分野】
【０００１】  本発明は、主に構造物に対して機器を取り付けるための金具であって、詳しくは建造物の垂直面または水平面等に対してテレビ受信用器具を取り付けるための取付金具に関する。
【背景技術】
【０００２】  従来、構造物に対してテレビアンテナに代表されるようなテレビ受信用機器を取り付ける場合は、アンテナマスト（ポール）を垂直方向に固定した状態から取り付けるため、垂直用および水平用の取付金具を使用するのが一般的であった。具体的には屋上等（水平面）には垂直固定金具を用い、壁面等（垂直面）には平行固定金具を使用することで取り付けが完了する。【０００３】  また、ベランダ格子等（垂直面）に取り付ける場合においても、取付金具本体と当て板を用いて挿むように取付金具を固定し、取付金具本体に接続されたＬ型に曲げられたポール等が垂直方向に固定されている。
【先行技術文献】
【特許文献】
【０００４】
【特許文献１】特開２００８−１３１５４８
【特許文献２】特開２０１１−８４９６５
【発明の概要】
【発明が解決しようとする課題】
【０００５】  一般的にテレビ放送用のアンテナを設置する場合、従来では設置場所によって専用の取付金具が必要であり、屋上等（水平面）には垂直用、壁面等（垂直面）には平行用、ベランダ格子等には挟み当て板用が必要であった。そのため、施工効率が悪いという問題があった、更にマスト（ポール）と金具を溶接等で固定するため価格的にも高価になるという問題があった。【０００６】  本発明は上記の課題を解決するためになされたもので、その目的は低価格で構造物に対して強固に取り付けることができ、且つ美観上においても優れたアンテナ取付金具を提供することにある。
【課題を解決するための手段】
【０００７】  本発明による取付金具は、板状部材により形成された固定板と、板状部材により形成された支持ベースと、前記支持ベースの上面に垂直に向い合う１対のマスト取付金具と、前記各マスト取付金具の向い合う面に設けた４５度の傾斜角をもつマスト螺子挿入穴と、それぞれの部材を固定するための螺子と、４５度の折曲げ角度をもつ管状部材により形成され前記各マスト取付金具に対応する螺子挿入穴を設けたマストを具備し、前記４５度の角度に設置されたマストを回転させ固定することにより、水平と垂直どちらにも設置できるように構成したことを特徴とする。
【発明の効果】
【０００８】本発明によれば、水平面と垂直面のどちらにもアンテナを容易に取り付けることができ、専用取付金具を必要とせず水平面と垂直面に対して強固に垂直なマストを設置できる。また、使用する部品の種類を少なくでき美観上に優れ、且つ価格の低下を図ることができる。
【図面の簡単な説明】
【０００９】
【図１】本発明の取付金具を説明するために分解した斜視図である。
【図２】本発明の取付金具を水平面に取り付けた状態を示す斜視図である。
【図３】本発明の取付金具を垂直面に取り付けた状態を示す斜視図である。
【図４】本発明の取付金具をベランダ格子等に取り付けた状態を示す斜視図である。
【図５】本発明の取付金具の支持ベースの構成を示し、（ａ）は正面図、（ｂ）は側面図、（ｃ）は上面図である。
【図６】本発明の取付金具の支持ベースとマストの構成を示し、（ｄ）は水平面に取り付けた正面図、（ｅ）は垂直面に取り付けた正面図である。
【図７】本発明の取付金具の固定板の構成を示し、（ｆ）は正面図、（ｇ）は側面図、（ｈ）は上面図である。
【図８】本発明の取付金具をベランダ格子等に取り付けた状態を示す斜視図である。
【発明を実施するための形態】
【００１０】  以下、本発明の実施の形態について図面を参照して詳細に説明する。
【実施例１】
【００１１】  図１は本発明の取付金具を説明するための概略図であり、構成要素を分解して示した斜視図である。【００１２】  図１は本発明の実施例１の係る構造物の水平面へ設置に対する説明である。１１は取付金具の支持ベースで、背面（底面）１９は平らに形成される。この支持ベース１１の上面には、中央部に一対のマスト取付金具１２ａ、１２ｂが所定の間隔で垂直に設ける。マスト取付金具１２ａ、１２ｂにマスト固定螺子１６ａ、１６ｂを用いてアンテナマスト１３が取り付けられる。【００１３】  図５は本発明の取付金具の支持ベース１１の構成を示し、（ａ）は正面図、（ｂ）は側面図、（ｃ）は上面図である。上記支持ベース１１の大きさは、使用するアンテナや接続するマスト１３に合わせて設定する。支持ベース１１には設置面に対して固定用取付穴１４ａ、１４ｂ、１４ｃ、１４ｄが設けられる。【００１４】  マスト取付金具１２ａ、１２ｂにはマスト１３を挟み込むように固定するためのマスト固定螺子挿入穴１５ａ、１５ｂ、１５ｃ、１５ｄが設けられる。【００１５】  上記マスト固定螺子挿入穴１５ａ、１５ｂ、１５ｃ、１５ｄは互いに向い合い、支持ベース１１の背面（底面）１９に対して４５度の傾斜角度を設けることにより、マスト固定螺子１６ａ、１６ｂも４５度の傾斜角となり、マスト１３を支持ベース１１の背面（底面）１９から４５度傾いた状態に設けられる。【００１６】  一方、上記マスト取付金具１２ａ、１２ｂに取り付けるマスト１３の下端部にはマスト穴１７ａ、１７ｂを設ける。この場合マスト穴１７ａ、１７ｂはマスト固定螺子挿入穴１５ａ、１５ｂに対応する位置に設けられる。【００１７】  図６（ｄ）は本発明の取付金具の支持ベース１１とマスト１３の構成を示す正面図である。マスト１３は中間に４５度の折曲げ角度を設ける。【００１８】  屋上などの水平面に設置する場合は、マスト固定螺子挿入穴１５ａ、１５ｃにマスト穴１７ａをマスト固定螺子１６ａで固定することにより、アンテナ取付部１８は支持ベース１１の背面（底面）１９に対して垂直の状態で固定できる構造となっている。
【実施例２】
【００１９】  次に本発明の実施例２の係る構造物の垂直面へ設置に対する説明である。【００２０】  図２及び図６（ｅ）は、建造物の壁面等（垂直面）への設置構成例を示す。支持ベース１１は、図６（ｄ）及び図２の状態からマスト固定螺子１６を取外し、マスト取付金具１２ａ、１２ｂとマスト１３を取外し、その状態から支持ベース１１の背面（底面）１９を構造物の垂直面に合わせ９０度回した状態を示す。【００２１】  マスト１３は、図６（ｄ）及び図２の状態からマスト固定螺子１６を取外し、マスト取付金具１２ａ、１２ｂを取外し、その状態からアンテナ取付部１８の軸を中心に１８０度回し、マスト固定螺子１６で固定した状態を示す。【００２２】  以上により、マスト１３は構造物の壁面等（垂直面）に対しても同部品を使用し、垂直の状態で固定できる構造となっている。また、実施例２においても、上記実施例１と同様の効果を得ることができる。
【実施例３】
【００２３】  次に本発明の実施例３の係る構造物のベランダ格子等（垂直面）へ設置に対する説明である。【００２４】  図４及び図８は、構造物のベランダ格子等（垂直面）への設置構成例を示し、図７は本発明の取付金具の固定板２０の構成を示し、（ｆ）は正面図、（ｇ）は側面図、（ｃ）は上面図である。上記固定板２０の大きさは、使用するアンテナや接続する支持ベース１１に合わせて設定する。【００２５】  ベランダ格子等（垂直面）へ設置する場合は、固定板２０及び固定板取付螺子２１を使用しベランダ格子等を挟み込むように、支持ベース１１に固定できる構造となっている。【００２６】  以上により、マスト１３は構造物のベランダ格子等（垂直面）に対しても垂直の状態で固定できる構造となっている。また、実施例３においても、上記実施例１及び実施例２と同様の効果を得ることができる。
【産業上の利用可能性】
【００２７】  本発明は上記実施の形態そのままに限定されるものではなく、産業上ではその主旨を脱しない範囲で構成要素を変形して利用できるものである。
【符号の説明】
【００２８】  １１…支持ベース、１２ａ、１２ｂ…マスト取付金具、１３…マスト、１４ａ、１４ｂ、１４ｃ、１４ｄ…固定用取付穴、１５ａ、１５ｂ、１５ｃ、１５ｄ…マスト固定螺子挿入穴、１６ａ、１６ｂ…マスト固定螺子、１７ａ、１７ｂ…マスト穴、１８…アンテナ取付部、１９…背面（底面）、２０…固定板、２１…固定板取付螺子。
【図１】
2015053666.tif 000003
【図２】
2015053666.tif 000004
【図３】
2015053666.tif 000005
【図４】
2015053666.tif 000006
【図５】
2015053666.tif 000007
【図６】
2015053666.tif 000008
【図７】
2015053666.tif 000009
【図８】
2015053666.tif 000010